(57)【要約】      （修正有）【課題】ユーザーが好みに応じてバックの外装のデザインを自由に選択変更できる手提げバックを提供する。【解決手段】上部が開閉可能である箱体の上部開口部両端縁を結ぶ提げ手を設け、上部開閉部表面に第一の係合手段を設けるとともに、バックの表側の外側面に第三の係合手段を設けたバック本体と、略長方形状のシート状部材であって一辺に第一の係合手段と着脱自在に係合する第二の係合手段を備えるとともに、接続部の第二の係合手段を設けない一辺に第三の係合手段と着脱自在に係合する第四の係合手段を設けている蓋体とからなり、必要に応じてシート状部材をバッグ本体に被せてバック本体の外装を変更することを特徴とする手提げバック。【選択図】図１
0003142058.tif 000002
【実用新案登録請求の範囲】
【請求項１】
上部が開閉可能である箱体の上部開口部両端縁を結ぶ提げ手を設け、上部開閉部表面に第一の係合手段を設けるとともに、バックの表側の外側面に第三の係合手段を設けたバック本体と、略長方形形状のシート状部材であって一辺に第一の係合手段と着脱自在に係合する第二の係合手段を備えるとともに、接続部の第二の係合手段を設けない一辺に第三の係合手段と着脱自在に係合する第四の係合手段を設けている蓋体と、からなり必要に応じてシート状部材をバック本体に被せてバック本体の外装を変更することを特徴とする手提げバック。  
【請求項２】
上部が開口した袋体の開口部両端縁を結ぶ提げ手を設け、袋体の上部開口部両端付近に、第一の係合手段と第一の係合手段を支える部分を設けるとともに、バックの表側の外側面に第三の係合手段を設けたバック本体と、略長方形形状のシート状部材であって一辺に第一の係合手段と着脱自在に係合する第二の係合手段を備えるとともに、接続部の第二の係合手段を設けない一辺に第三の係合手段と着脱自在に係合する第四の係合手段を設けている蓋体と、からなり必要に応じてシート状部材をバック本体に被せてバック本体の外装を変更することを特徴とする手提げバック。  
【請求項３】
前記請求項1乃至２記載の第一の係合手段、第二の係合手段、第三の係合手段および第四の係合手段は、金具、ファスナー、面ファスナー、ボタンとボタンホール、マグネット等であることを特徴とする前記請求項１乃至２記載の手提げバック。
【考案の詳細な説明】
【技術分野】
【０００１】
本考案は、用途やシチュエーションや気分に合わせてバックの外観を改変し、外観のデザインを自由に選択して容易に変更ができるバックに関し、特に、バックの外装または異なる外観の素材を係合部材で係止装着することによりバックのイメージを容易に変更する事が出来るバックに関する。
【背景技術】
【０００２】
バックには様々な種類の物が開発されているが、多種多様なものが販売されている。ユーザーは通常は店頭に並んだバックの中から好みの物を選択して購入している。ユーザーが手提げバックやハンドバックを選ぶ際には、選択基準の一つとしてデザインが考えられる。デザインとしてはバック自体の形状だけでなく、外面に使用される素材も重要視されている。従来、バックは用途やシチュエーションや気分に応じて又、他の持ち物や洋服とのつり合いによって好みの物をその時々に持ち替えて使用していた。あらかじめ持って出たバックを途中で別のバックに持ち替えることは出来ない。使用途中で雨が降ってきたから防水性のバックに持ち替えることや、仕事用とカジュアル用の二つのバックを持ち歩くことや、気分に変化があったからといって模様や柄の違うバックに持ち替えたりは出来ない。                                                                                                                                                                                                                                                                                                                                                                                                    
【０００３】
最近では、様々な種類のデザインのバックが提案されて流通しており、ユーザーは好みのバックを見つけ易くなったとも考えられる。しかし、ユーザーにとってバックは、基本的には一つしか持ち歩けないである。異なった用途、シチュエーション、気分に即座に対応できるバックが望ましいが、そのようなバックはなかなか見つからないのが現実である。例えば、購入当初のデザインは非常に気に入っていても、購入後、デザインに飽きてしまうことも考えられる。こうした場合、ユーザーは新たにバックを購入するか、我慢して使用し続けなければならない。その結果、一人で沢山のバックを揃える必要があり、置き場や処理に困っているのが現実である。また、持っているバックの数が少ない場合には、どうしても持っている洋服に合わせ易い色、柄のバックを選択してしまう。本来ならば、合わせ易いバックと奇抜なバックの両方を購入したいところだが、奇抜なバックは、合わせ易いバックを購入した後でないと購入の決断ができないものである。
【０００４】
ところで、従来、これらを解決するために、通常のバックのように上部に提げ手を設け、バック本体とカバー部との接続部がバック内側側面上部に装着され、バック本体の外装を変更するバック、あるいは、バックの底部分で両側面を縫合し、これをバック外面に取り付けるバック等が知られているが、それらには問題点があった。前者では、第一に、バック本体と蓋体との接合部の位置がバック内側側面にあることにより、装着時に接合部が体に当たり、不快を感じたりして装着感が損なわれる。また、接合部が洋服に当たり洋服が傷んだりしてしまう。第二に、バックが収納されている時、接合部がバック内側側面にあることにより、係合部材が接地面と接触することになるので、係合部材が壊れ易くなる。また、蓋体の外観を変更する際、接続部がバック内側面にあるために、蓋体の直角に折り曲げる部分が２箇所になる。これは、両面の材質が異なったり、伸縮率が異なったりして、しわがよる部分が２箇所になってしまうことになる。元々、蓋体の外観を変更することが特徴である手提げバックなので、しわができる同じ部分を何度も折り返すことになり、劣化が早まり、見た目も良くなくなる。第三に、係合部分に使う係合部材をホックにすると、蓋体両面各々にホックの凹を付けなければならなくなり、デザイン的に優れないものになる。さらに、ホックの厚み分、蓋体が厚くなり、取り付けにくくなる。また、外観が損なわれたり、体に当たったり、洋服を傷めたりすることを助長してしまう。
後者は、バックのカバー面が底部で縫合されているので、簡単には他のカバー部材に変更することができなく、外観のデザインを自由に選択できるとは言えない。
これらの欠点を解決した、ユーザーが外装のデザイン（イメージ）を自由に変更することが出来るバックが求められていたが、そのようなバックは存在しない。                                        
【特許文献１】特許公開公報２００６−０４２８５８号
【特許文献２】公開実用新案公報昭和５７−７１４１４号
【考案の開示】
【考案が解決しようとする課題】
【０００５】
本考案は、ユーザーが好みに応じてバックの外装のデザインを自由に選択変更できるバックを提供することを目的としている。
【課題を解決するための手段】
【０００６】
上記の目的を達成するために本考案に係るバックは、上部が開閉可能である箱体の上部開口部両端縁を結ぶ提げ手を設け、上部開閉部表面に第一の係合手段を設けるとともに、バックの表側の外側面に第三の係合手段を設けたバック本体と、略長方形形状のシート状部材であって一辺に第一の係合手段と着脱自在に係合する第二の係合手段を備えるとともに、接続部の第二の係合手段を設けない一辺に第三の係合手段と着脱自在に係合する第四の係合手段を設けている蓋体と、からなり必要に応じてシート状部材をバック本体に被せてバック本体の外装を変更する構成である。
【０００７】
更に、上部が開口した袋体の開口部両端縁を結ぶ提げ手を設け、袋体の上部両端付近に、第一の係合手段と第一の係合手段を支える部分を設けるとともに、バック表側の外側面に第三の係合手段を設けたバック本体と、略長方形形状のシート状部材であって一辺に第一の係合手段と着脱自在に係合する第二の係合手段を備えるとともに、接続部の第二の係合手段を設けない一辺に第三の係合手段と着脱自在に係合する第四の係合手段を設けている蓋体と、からなり必要に応じてシート状部材をバック本体に被せてバック本体の外装を変更する構成である。
前述の第一の係合手段および第二の係合手段と、第三の係合手段および第四の係合手段は、金具、ファスナー、面ファスナー、ボタンとボタンホール、マグネット等からなる構成とすることが出来る。
【考案の効果】
【０００８】
以上に説明した本考案に係る手提げバックによれば、１．別の蓋体を係合部で係止装着することにより自由に交換することが出来るため、様々な外観を楽しむ手提げバックを、さらに、様々な用途、シチュエーションに合わせることができるバックを提供できる。また、利用者はデザインに飽きたり、蓋体が破損した場合であっても、蓋体だけを交換変更すればよく、簡単に、安価で様々な外装デザインのバックを楽しむことができる。２.バックの上部開閉部分がバック本体部分と蓋体部分の二重構造になっているので、丈夫で、バック内部が見えないとともに、物が落ちにくい。さらに、雨が入りにくい。                                                                                                                                                                                                                                                                                                    
【０００９】
３.係合部材がバック上部にあるので、係合部材が体や洋服に当たらず、不快を感じることなく装着感は従来通りを維持できる。４.また、係合手段に金具、面ファスナー、ファスナー、ボタンとボタンホール、マグネット等などを使用することが可能であり、どの手段を用いても、容易に蓋体の着脱を行うことができる。これらは、ファッション性を向上させるという演出効果も有する。                                                                                                                        
【考案を実施するための最良の形態】
【００１０】
以下に、本考案の手提げバック１０の実施例を図面により詳細に説明する。図１a、b  は本考案の実施例１の手提げバックと蓋体の斜視図であり、図２a〜cは本考案の実施例１の手提げバック本体に蓋体を取り付ける工程と取り付けた状態を示す斜視図である。なお、図３a、b  は本考案の別の実施例２の手提げバックと蓋体の斜視図であり、図４a〜cは本考案の別の実施例２の手提げバック本体に蓋体を取り付ける工程と取り付けた状態を示す斜視図であり、詳細は下記実施例２に関連して詳述する。
【実施例１】
【００１１】
本考案の手提げバック１０は、バック本体２０と、バック本体に取り付けられた提げ手２２と、上部開閉部表面に取り付けられた第一の係合手段３０と、バック本体の表面の外側面に取り付けられた第三の係合手段４０と、蓋体５０と、第二の係合手段６０と、第四の係合手段７０とからなる構成であり、バックの外装を変更する場合は、バック本体の第一の係合手段３０と第三の係合手段４０に着脱可能な蓋体の第二の係合手段６０と第四の係合手段７０を押通させて被せる構造である。                                                                                      
【００１２】
バック本体２０は、後述する蓋体５０を被せることができる上部開閉部表面に装着する第一の係合手段３０を設けることが出来ればどのような形状のバックであってもよい。例えば、箱体の下部の形状が、台形型、丸型等にすることができ、従来の手提げバックと同様の形状を選択することが出来る。また、本考案の実施例１では、第三の係合手段４０に金具を用いているが、上部開閉部表面に装着する第一の係合手段３０を設けていれば、第三の係合手段４０は必ずしも設けなくてもよい。なお、この実施例１では、上部開閉部の素材は箱体の一部となっているが別途部材にし、それぞれを縫合してバック本体とすることもできる。バック本体と上部開閉部は、材質にも限定されず、所望の材質を選択することができる。バック本体の構造や材質については従来の技術をそのまま引用することができるため、ここでは詳述を避ける。                                                                                                                                                                                                                      
【００１３】
提げ手２２は、蓋体５０とデザイン的に似合うものであれば何でもよい。色が異なるものや、チェーンのように素材が異なるものでもよい。もちろん、手提げバックと同様の素材でもよい。この実施例１では、手提げバックと同様の素材の紐状体の両端を、それぞれ手提げバックの開口部両端に円環状の係合部を設けて装着したものである。提げ手の装着する位置は、若干移動して設けることも可能である。
なお、本考案は提げ手２２を設けないハンドバックなどにも応用できる。
【００１４】
第一の係合手段３０と、第三の係合手段４０は、後述する蓋体５０に設けられた第二の係合手段６０と、第四の係合手段７０と係合し、バック本体２０に蓋体５０を着脱自在に装着するための係合部である。この実施例１では、第一の係合手段、第三の係合手段として金具を選択しており、第一の係合手段は、上部が開閉可能である箱体の上部開閉部表面の両端付近に設けられており、第三の係合手段４０は、表面になる外側面中央付近に設けられている。第一の係合手段３０は第二の係合手段６０と、第三の係合手段４０は第四の係合手段７０と着脱自在に係合することが出来ればよく、この実施例１の金具以外にもファスナー、面ファスナー、ボタンとボタンホール、マグネット等などを選択することができる。ただし、第一の係合手段３０と第二の係合手段６０と、第三の係合手段４０と第四の係合手段７０とは、蓋体５０の開閉時に容易に外れない程度にしっかりと係合する必要がある。この実施例１のように金具を使用すれば、デザイン的にも優れていて、通常使用では容易に外れることがなく、蓋体５０の交換も容易に行うことができる。
【００１５】
蓋体５０は、略長方形形状のシート状部材の一辺に第二の係合手段６０を設けるとともに、接続部の第二の係合手段を設けない一辺に第四の係合手段７０を設けた、手提げバック１０の上部と外側を覆うための部材である。この実施例１では、蓋体５０は、第二の係合手段６０と第一の係合手段３０、第四の係合手段７０と第三の係合手段４０の係合を着脱することにより、バック本体２０と自在に着脱することができる。
なお、この実施例１では蓋体は単に一枚のシート状部材として形成されているが、二枚以上の部材を縫製した部材でもよい。
この実施例１では蓋体５０は、従来のバックで使用されている材質であれば、どのような材質であってもよく、適宜な材質を選択することが可能である。皮製または毛皮製、さらには表面に毛皮を張り付けた素材や、デザインされた模様を施した布などを選択することができる。バック本体２０に対して装着可能な複雑のデザインの蓋体５０を用意することで、ユーザーは所望のデザインの蓋体５０を選択して自由に交換することが可能である。また、同一の形状の第一の係合手段３０を設けた異なる構造のバックであれば、各種の蓋体５０を流用して多種、多様の変化を楽しむことができる。
【００１６】
また、この実施例１では、蓋体５０は、バック本体２０の第一の係合手段３０と、蓋体５０の第四の係合手段６０と、バック本体の第三の係合手段４０と、蓋体５０の第四の係合手段７０とが係合することによって、バック本体２０の箱体の上部全面と表側面の２/３程度を覆うことができる大きさに設定されている。蓋体５０は、箱体の上部を覆うことができればよく、箱体の表側の外側面を覆う大きさは自由に設定できることになる。
【実施例２】
【００１７】
本考案の実施例２の手提げバックを図面により詳細に説明する。図３a、b  は本考案の別の実施例２の手提げバックと蓋体の斜視図であり、図４a〜cは本考案の別の実施例２の手提げバック本体に蓋体を取り付ける工程と取り付けた状態を示す斜視図である。
本考案の別の実施例２の手提げバック１０は、バック本体２０と、バック本体に取り付けられた提げ手２２と、第一の係合手段３０と、第一の係合手段３０を支える部分２１と、第三の係合手段４０と、蓋体５０と、第二の係合手段６０と、第四の係合手段７０とからなる構成であり、バックの外装を変更する場合は、バック本体の第一の係合手段３０と、第三の係合手段４０に着脱可能な蓋体５０の第二の係合手段６０と、第四の係合手段７０を押通させて被せる構造である。
【００１８】
バック本体２０は、後述する蓋体５０を装着する第一の係合手段３０と、第一の係合手段３０を支える部分２１を設け、バック内部に物を入れることができる開口を確保できれば、どのような形状のバックであってもよい。例えば、箱体の下部の形状が、台形型、丸型等にすることができ、従来の手提げバックと同様の形状を選択することが出来る。また、本考案の実施例２では、第三の係合手段４０にボタンを用いているが、袋体の上部開口部両端付近に、第一の係合手段３０と第一の係合手段を支える部分２１を設けていれば、第三の係合手段４０は必ずしも設けなくてもよい。また、第一の係合手段３０を支える部分２１は、バック内部に物を入れることができる開口を確保できさえすればよく、バック本体２０とはどのように接合されていてもよい。この実施例２では、バックの素材が延長してありバック本体２０と同一の素材である。つまり、バック本体２０と第一の係合手段３０を支える部分２１とは、２箇所或いは３箇所で縫合されていたり、バックの素材が延長してあったり、どのような形で接続されていてもよい。さらに、バック本体は、材質には限定されず、所望の材質を選択することができる。バック本体の構造や材質については従来の技術をそのまま引用することができるため、ここでは詳述を避ける。
【００１９】
提げ手２２は、蓋体５０とデザイン的に似合うものであれば何でもよい。色が異なるものや、チェーンのように素材が異なるものでもよい。もちろん、手提げバックと同様の素材でもよい。この実施例２では、ショルダーバックやビジネスバックをイメージしており、肩掛けバックの紐状部分と同様の素材を用いている。紐状部分の両端をそれぞれ手提げバックの開口部両端に止め具で装着したものである。提げ手の装着する位置は、若干移動して設けることも可能である。
【００２０】
第一の係合手段３０と、第三の係合手段４０は、後述する蓋体５０に設けられた第二の係合手段６０と、第四の係合手段７０と係合し、バック本体２０に蓋体５０を着脱自在に装着するための係合部である。この実施例２では、第一の係合手段、第三の係合手段にボタンを選択しており、第一の係合手段３０は、第一の係合手段３０を支える部分２１とともに、袋体の上部開口部両端付近に設けられており、第三の係合手段４０は、表面になる外側面下部中央付近に設けられている。第一の係合手段３０は第二の係合手段６０と、第三の係合手段４０は第四の係合手段７０と着脱自在に係合することが出来ればよく、この実施例２のボタンとボタンホール以外にも金具、ファスナー、面ファスナー、マグネット等などを選択することができる。ただし、第一の係合手段３０と第二の係合手段６０と、第三の係合手段４０と第四の係合手段７０とは、蓋体５０の開閉時に容易に外れない程度にしっかりと係合する必要がある。この実施例２のようにボタンとボタンホールを使用すれば、見た目も良く、重量も軽く済み、さらに安価であり、通常使用では容易に外れることがなく、蓋体５０の交換も容易に行うことができる。
【００２１】
蓋体５０は、略長方形形状のシート状部材の一辺に第二の係合手段６０を設けるとともに、接続部の第二の係合手段を設けない一辺に第四の係合手段７０を設けた、手提げバック１０の上部と外側を覆うための部材である。この実施例２では、蓋体５０は、第二の係合手段６０と第一の係合手段３０、第四の係合手段７０は第三の係合手段４０と、係合することにより、バック本体２０と自在に着脱することができる。また、この実施例２では、第二の係合手段６０、第四の係合手段７０にボタンホールを設けているが、ボタンホール以外にも金具、ファスナー、面ファスナー、マグネット等などを選択することができる。ただし、第二の係合手段６０と第四の係合手段７０は、蓋体５０の開閉時に容易に外れない程度にしっかりと係合する必要がある。この実施例２のようにボタンとボタンホールを使用すれば、見た目も良く、重量も軽く済み、さらに安価であり、通常使用では容易に外れることがなく、蓋体５０の交換も容易に行うことができる。
なお、この実施例２では蓋体は単に一枚のシート状部材として形成されているが、二枚以上の部材を縫製した部材でもよい。
この実施例では蓋体５０は、従来のバックで使用されている材質であれば、どのような材質であってもよく、適宜な材質を選択することが可能である。皮製または毛皮製、さらには表面に毛皮を張り付けた素材や、デザインされた模様を施した布などを選択することができる。バック本体２０に対して装着可能な複雑のデザインの蓋体５０を用意することで、ユーザーは所望のデザインの蓋体５０を選択して自由に交換することが可能である。また、同一の形状の第一の係合手段３０を設けた異なる構造のバックであれば、各種の蓋体５０を流用して多種、多様の変化を楽しむことができる。
【００２２】
また、この実施例２では、蓋体５０は、バック本体２０の第一の係合手段３０と、蓋体５０の第二の係合手段６０と、バック本体の第三の係合手段４０と蓋体５０の第四の係合手段７０とが係合することによって、バック本体２０の上部開口部全面と表側外面全面を覆うことができる大きさに設定されている。蓋体５０は、袋体の上部面を覆うことができればよく、箱体の表側面を覆う大きさは自由に設定できることになる。
【図面の簡単な説明】
【００２３】
【図１】（a）本考案の実施例１の手提げバックの斜視図（b）蓋体の斜視図
【図２】本考案の実施例１の手提げバック本体に蓋体を取り付ける工程と取り付けた状態を示す斜視図
【図３】（a）本考案の別の実施例２の手提げバックの斜視図（b）蓋体の斜視図
【図４】本考案の別の実施例２の手提げバック本体に蓋体を取り付ける工程と取り付けた状態を示す斜視図
【符号の説明】
【００２４】
１０    手提げバック    
２０    バック本体
２１    第一の係合手段を支える部分
２２    提げ手
３０    第一の係合手段
４０    第三の係合手段
５０    蓋体
６０    第二の係合手段
７０    第四の係合手段
【図１】
0003142058.tif 000003
【図２】
0003142058.tif 000004
【図３】
0003142058.tif 000005
【図４】
0003142058.tif 000006